【手続補正書】
【提出日】平成28年9月5日(2016.9.5)
【手続補正１】
【補正対象書類名】明細書
【補正対象項目名】発明の名称
【補正方法】変更
【補正の内容】
【発明の名称】ディザパタン作成方法および画像処理装置
【手続補正２】
【補正対象書類名】明細書
【補正対象項目名】０００１
【補正方法】変更
【補正の内容】
【０００１】
本発明は、インクを吐出する複数の記録ヘッドを用い記録媒体に画像を形成する際の画像処理で使用可能なディザパタンの作成方法に関する。また、当該画像処理を実行して記録媒体に画像を記録するための画像処理装置に関する。
【手続補正３】
【補正対象書類名】明細書
【補正対象項目名】００１６
【補正方法】変更
【補正の内容】
【００１６】
そのために本発明は、単位領域を構成するＮ画素（Ｎは自然数）の夫々が有する多値の階調値を低階調化する際に、前記Ｎ画素の夫々に対応して用意され前記多値の階調値のそれぞれと比較するための閾値で構成されたディザパタンを作成するためのディザパタン作成方法であって、一部の画素については閾値がまだ設定されておらず、他の画素については閾値が既に設定されている第１のディザパタンと第２のディザパタンを用意する用意工程と、基準画素および該基準画素の周辺の画素に対して既に閾値が設定されたか否かを示す情報を、前記第１のディザパタンの前記Ｎ画素のそれぞれを前記基準画素とした場合について取得する第１の取得工程と、該第１の取得工程で取得した前記情報に基づいて、前記第２のディザパタンにおける所定の閾値が設定される画素を、閾値がまだ設定されていない画素の中から決定する第１の決定工程と、前記第１の決定工程において決定された前記第２のディザパタンの画素に、前記所定の閾値を設定する第１の設定工程と、前記第１の設定工程が終了した後に、前記基準画素および該基準画素の周辺の画素に対して既に閾値が設定されたか否かを示す情報を、前記第２のディザパタンの前記Ｎ画素のそれぞれを前記基準画素とした場合について取得する第２の取得工程と、該第２の取得工程で取得した前記情報に基づいて、前記第１のディザパタンにおける前記所定の閾値が設定される画素を、閾値がまだ設定されていない画素の中から決定する第２の決定工程と、前記第２の決定工程において決定された前記第１のディザパタンの画素に、前記所定の閾値を設定する第２の設定工程と、前記所定の閾値をインクリメントして、前記第１の取得工程に進む工程とを有することを特徴とする。
【手続補正４】
【補正対象書類名】特許請求の範囲
【補正対象項目名】全文
【補正方法】変更
【補正の内容】
【特許請求の範囲】
【請求項１】
単位領域を構成するＮ画素（Ｎは自然数）の夫々が有する多値の階調値を低階調化する際に、前記Ｎ画素の夫々に対応して用意され前記多値の階調値のそれぞれと比較するための閾値で構成されたディザパタンを作成するためのディザパタン作成方法であって、
一部の画素については閾値がまだ設定されておらず、他の画素については閾値が既に設定されている第１のディザパタンと第２のディザパタンを用意する用意工程と、
基準画素および該基準画素の周辺の画素に対して既に閾値が設定されたか否かを示す情報を、前記第１のディザパタンの前記Ｎ画素のそれぞれを前記基準画素とした場合について取得する第１の取得工程と、
該第１の取得工程で取得した前記情報に基づいて、前記第２のディザパタンにおける所定の閾値が設定される画素を、閾値がまだ設定されていない画素の中から決定する第１の決定工程と、
前記第１の決定工程において決定された前記第２のディザパタンの画素に、前記所定の閾値を設定する第１の設定工程と、
前記第１の設定工程が終了した後に、前記基準画素および該基準画素の周辺の画素に対して既に閾値が設定されたか否かを示す情報を、前記第２のディザパタンの前記Ｎ画素のそれぞれを前記基準画素とした場合について取得する第２の取得工程と、
該第２の取得工程で取得した前記情報に基づいて、前記第１のディザパタンにおける前記所定の閾値が設定される画素を、閾値がまだ設定されていない画素の中から決定する第２の決定工程と、
前記第２の決定工程において決定された前記第１のディザパタンの画素に、前記所定の閾値を設定する第２の設定工程と、
前記所定の閾値をインクリメントして、前記第１の取得工程に進む工程と
を有することを特徴とするディザパタン作成方法。
【請求項２】
前記情報には、前記基準画素および該基準画素の周辺の画素のうち既に閾値が設定された画素の前記基準画素に対する相対的な位置を示す情報が含まれていることを特徴とする請求項１に記載のディザパタン作成方法。
【請求項３】
前記第１の決定工程では、前記基準画素に対する相対的な位置のそれぞれについて、既に閾値が設定された画素の数を前記第１のディザパタンの前記Ｎ画素のそれぞれを前記基準画素とした場合で合計することにより、前記第２のディザパタンにおける前記所定の閾値が設定される画素を閾値がまだ設定されていない画素の中から決定することを特徴とする請求項２に記載のディザパタン作成方法。
【請求項４】
前記第１の決定工程では、前記合計が、前記基準画素に対する相対的な位置のそれぞれにおいて均等に近くなるような前記第１のディザパタンの画素に相当する前記第２ディザパタンの画素を、前記第２ディザパタンにおける前記所定の閾値が設定される画素として決定することを特徴とする請求項３に記載のディザパタン作成方法。
【請求項５】
前記所定の閾値は、作成中の前記第２のディザパタンにおいて既に設定された閾値のうち最大値もしくは該最大値よりも１だけ大きな値の閾値であることを特徴とする請求項１から４のいずれか１項に記載のディザパタン作成方法。
【請求項６】
前記基準画素の周辺の画素とは、前記基準画素に対し、上、下、左、右、斜めの方向に隣接する８つの画素であることを特徴とする請求項１から５のいずれか１項に記載のディザパタン作成方法。
【請求項７】
前記第１の取得工程、前記第１の決定工程、前記第１の設定工程、前記第２の取得工程、前記第２の決定工程および前記第２の設定工程を繰り返すことにより、前記第１のディザパタンおよび前記第２のディザパタンを作成することを特徴とする請求項１から６のいずれか１項に記載のディザパタン作成方法。
【請求項８】
前記用意工程では、一部の画素については閾値がまだ設定されておらず、他の画素については閾値が既に設定されている第３のディザパタンを更に用意し、
前記第１の取得工程では、前記基準画素および該基準画素の周辺の画素に対して既に閾値が設定されたか否かを示す情報を、前記第１のディザパタンの前記Ｎ画素のそれぞれを前記基準画素とした場合と、前記第３のディザパタンの前記Ｎ画素のそれぞれを前記基準画素とした場合、について取得し、
前記第２の取得工程では、前記基準画素および該基準画素の周辺の画素に対して既に閾値が設定されたか否かを示す情報を、前記第２のディザパタンの前記Ｎ画素のそれぞれを前記基準画素とした場合と、前記第３のディザパタンの前記Ｎ画素のそれぞれを前記基準画素とした場合、について取得し、
前記第２の設定工程が終了した後に、前記基準画素および該基準画素の周辺の画素に対して既に閾値が設定されたか否かを示す情報を、前記第１のディザパタンの前記Ｎ画素のそれぞれを前記基準画素とした場合、および前記第２のディザパタンの前記Ｎ画素のそれぞれを前記基準画素とした場合、について取得する第３の取得工程と、
該第３の取得工程で取得した前記情報に基づいて、前記第３のディザパタンにおける前記所定の閾値が設定される画素を、閾値がまだ設定されていない画素の中から決定する第３の決定工程と
を更に有し、
前記第１の取得工程、前記第１の決定工程、前記第１の設定工程、前記第２の取得工程、前記第２の決定工程、前記第２の設定工程、前記第３の取得工程、前記第３の決定工程および前記第３の設定工程を繰り返すことにより、前記第１のディザパタン、前記第２のディザパタンおよび前記第３のディザパタンを作成することを特徴とする請求項１から６のいずれか１項に記載のディザパタン作成方法。
【請求項９】
単位領域を構成するＮ画素（Ｎは自然数）の夫々が有する多値の階調値を低階調化する際に、前記Ｎ画素の夫々に対応して用意され前記多値の階調値のそれぞれと比較するための閾値で構成されたディザパタンを作成するためのディザパタン作成方法であって、
前記Ｎ画素のうち、一部の画素については閾値がまだ設定されておらず、他の画素については閾値が既に設定されている第１のディザパタンと第２のディザパタンを用意する用意工程と、
基準画素および該基準画素の周辺の画素に対して既に閾値が設定されたか否かを示す情報を、前記第１のディザパタンの前記Ｎ画素のそれぞれを前記基準画素とした場合について取得する第１の取得工程と、
該第１の取得工程で取得した前記情報に基づいて、前記第２のディザパタンにおける所定の閾値が設定される画素を、閾値がまだ設定されていない画素の中から決定する第１の決定工程と、
前記第１の決定工程において決定された画素に前記所定の閾値を設定する設定工程と
を有し、
前記第１の決定工程では、前記第１のディザパタンと前記第２のディザパタンの両方で既に閾値が設定される画素が前記Ｎ画素に対し所定の割合で存在するように、閾値が設定される画素が決定されることを特徴とするディザパタン作成方法。
【請求項１０】
前記所定の割合は、閾値が低い領域では０であり、中間の値の領域では閾値が大きくなるに従って徐々に大きくなることを特徴とする請求項９に記載のディザパタン作成方法。
【請求項１１】
前記第１のディザパタンと前記第２のディザパタンは、同じ色材の記録のために使用されることを特徴とする請求項１から１０のいずれか１項に記載のディザパタン作成方法。
【請求項１２】
前記第１のディザパタンと前記第２のディザパタンは、異なる色材の記録のために使用されることを特徴とする請求項１から１０のいずれか１項に記載のディザパタン作成方法。
【請求項１３】
請求項１から１２のいずれか１項に記載のディザパタン作成方法に従って作成された前記第１のディザパタンと前記第２のディザパタン。
【請求項１４】
請求項１から１３のいずれか１項に記載のディザパタン作成方法をコンピュータに実行させることを特徴とするコンピュータ可読プログラム。
【請求項１５】
記録媒体の単位領域に対し、記録ヘッドの第１の記録走査および第２の記録走査を行うことにより、前記単位領域の画像を記録するための画像処理装置であって、
前記単位領域を構成するＮ画素（Ｎは自然数）の夫々が有する多値の階調値を低階調化する際に、前記Ｎ画素の夫々に対応して用意され前記多値の階調値のそれぞれと比較するための閾値で構成されたディザパタンを作成するためのディザパタン作成方法によって作成された第１のディザパタンと該第１のディザパタンとは異なる第２のディザパタンを取得する取得手段と、
前記第１のディザパタンに基づいて前記第１の記録走査に対応する多値の階調値の低階調化処理を行い、前記第２のディザパタンに基づいて前記第２の記録走査に対応する多値の階調値の低階調化処理を行ための量子化手段と、
を備え、
前記ディザパタン作成方法は、
一部の画素については閾値がまだ設定されておらず、他の画素については閾値が既に設定されている第１のディザパタンと第２のディザパタンを用意する用意工程と、
基準画素および該基準画素の周辺の画素に対して既に閾値が設定されたか否かを示す情報を、前記第１のディザパタンの前記Ｎ画素のそれぞれを前記基準画素とした場合について取得する第１の取得工程と、
該第１の取得工程で取得した前記情報に基づいて、前記第２のディザパタンにおける所定の閾値が設定される画素を、閾値がまだ設定されていない画素の中から決定する第１の決定工程と、
前記第１の決定工程において決定された前記第２のディザパタンの画素に、前記所定の閾値を設定する第１の設定工程と、
前記第１の設定工程が終了した後に、前記基準画素および該基準画素の周辺の画素に対して既に閾値が設定されたか否かを示す情報を、前記第２のディザパタンの前記Ｎ画素のそれぞれを前記基準画素とした場合について取得する第２の取得工程と、
該第２の取得工程で取得した前記情報に基づいて、前記第１のディザパタンにおける前記所定の閾値が設定される画素を、閾値がまだ設定されていない画素の中から決定する第２の決定工程と、
前記第２の決定工程において決定された前記第１のディザパタンの画素に、前記所定の閾値を設定する第２の設定工程と、
前記所定の閾値をインクリメントして、前記第１の取得工程に進む工程と
を有することを特徴とする画像処理装置。
【請求項１６】
前記量子化手段による量子化後の低階調化データに基づいて、前記記録ヘッドによる前記第１の記録走査および前記第２の記録走査を実行する記録手段を更に備えることを特徴とする請求項１５に記載の画像処理装置。
【請求項１７】
第１の記録ヘッドおよび第２の記録ヘッドを用いて、記録媒体上の単位領域の画像を記録する画像処理装置であって、
前記単位領域を構成するＮ画素（Ｎは自然数）の夫々が有する多値の階調値を低階調化する際に、前記Ｎ画素の夫々に対応して用意され前記多値の階調値のそれぞれと比較するための閾値で構成されたディザパタンを作成するためのディザパタン作成方法によって作成された第１のディザパタンと該第１のディザパタンとは異なる第２のディザパタンを取得する取得手段と、
前記第１のディザパタンに基づいて前記第１の記録ヘッドに対応する多値の階調値の低階調化処理を行い、前記第２のディザパタンに基づいて前記第２の記録ヘッドに対応する多値の階調値の低階調化処理を行ための量子化手段と、
を備え、
前記ディザパタン作成方法は、
一部の画素については閾値がまだ設定されておらず、他の画素については閾値が既に設定されている第１のディザパタンと第２のディザパタンを用意する用意工程と、
基準画素および該基準画素の周辺の画素に対して既に閾値が設定されたか否かを示す情報を、前記第１のディザパタンの前記Ｎ画素のそれぞれを前記基準画素とした場合について取得する第１の取得工程と、
該第１の取得工程で取得した前記情報に基づいて、前記第２のディザパタンにおける所定の閾値が設定される画素を、閾値がまだ設定されていない画素の中から決定する第１の決定工程と、
前記第１の決定工程において決定された前記第２のディザパタンの画素に、前記所定の閾値を設定する第１の設定工程と、
前記第１の設定工程が終了した後に、前記基準画素および該基準画素の周辺の画素に対して既に閾値が設定されたか否かを示す情報を、前記第２のディザパタンの前記Ｎ画素のそれぞれを前記基準画素とした場合について取得する第２の取得工程と、
該第２の取得工程で取得した前記情報に基づいて、前記第１のディザパタンにおける前記所定の閾値が設定される画素を、閾値がまだ設定されていない画素の中から決定する第２の決定工程と、
前記第２の決定工程において決定された前記第１のディザパタンの画素に、前記所定の閾値を設定する第２の設定工程と、
前記所定の閾値をインクリメントして、前記第１の取得工程に進む工程と
を有することを特徴とする画像処理装置。
【請求項１８】
前記量子化手段による量子化後の低階調化データに基づいて、前記第１の記録ヘッドおよび前記第２の記録ヘッドによる記録を実行する記録手段を更に備えることを特徴とする請求項１７に記載の画像処理装置。
【請求項１９】
前記第１の記録ヘッドと前記第２の記録ヘッドは、異なる色の画像を記録することを特徴とする請求項１７または１８に記載の画像処理装置。